(57)【要約】【課題】商用電力により蓄電池に充電し、使用電力量の多い時間帯に放電する構成において、使用電力量の変動に対応して蓄電池からの放電を適切に制御し、蓄電池の電力を効率よく利用する。【解決手段】複数の電池モジュール４１を組み合わせ充放電可能に構成した組電池４と、この組電池４へ充電を行う充電モードとこの組電池４に蓄積された直流電力を系統と負荷１５とをつなげる配線１３に系統と同じもしくはほぼ同じ周波数の交流電力に変換して供給する放電モードとを有する蓄電システム１において、負荷１５に供給される電流を検出する電流検出器５２を設け、この電流検出器５２が検出する電流に基づく過去の数日分の平均使用電力を求め、この平均使用電力と電流検出器５２が検出する電流に基づく使用電力との差の電力量を放電モードで組電池４から負荷１５へ交流電力に変換して供給する制御装置５１を備える。【選択図】図１
2011182503.tif 000002
【特許請求の範囲】
【請求項１】
複数の電池モジュールを組み合わせ充放電可能に構成した組電池と、この組電池へ充電を行う充電モードとこの組電池に蓄積された直流電力を系統と負荷とをつなげる電源ラインに系統と同じもしくはほぼ同じ周波数の交流電力に変換して供給する放電モードとを有する蓄電システムにおいて、
前記負荷に供給される電流を検出する電流検出器を設け、この電流検出器が検出する電流に基づく過去の数日分の平均使用電力を求め、この平均使用電力と前記電流検出器が検出する電流に基づく使用電力との差の電力量を前記放電モードで前記組電池から前記負荷へ前記交流電力に変換して供給する制御装置を備えたことを特徴とする蓄電システム。
【請求項２】
前記制御装置は、前記放電モードを行っている期間を複数の区間に分割し夫々の区間毎に前記負荷の使用電力を求めこの区間毎に前記平均使用電力との比較を行うことを特徴とする請求項１に記載の蓄電システム。
【請求項３】
前記制御装置は、前記区間の使用電力が前記平均使用電力を下回る際には前記組電池から前記負荷への電力供給を行わないことを特徴とする請求項２に記載の蓄電システム。
【請求項４】
前記平均使用電力は前記複数の区間の内連続するいくつかの区間の使用電力に基づいて求められその対応するいくつかの区間の使用電力量との比較に用いられることを特徴とする請求項３に記載の蓄電システム。
【請求項５】
前記平均使用電力は少なくとも前記放電モードを行っている期間の前半期間と後半期間とに２分割され夫々の期間の平均使用電力量から成り対応する期間での前記負荷へ供給される電力量の比較に用いられることを特徴とする請求項３に記載の蓄電システム。
【請求項６】
予め定めた負荷の稼働期間及びこの期間で当該負荷へ供給される使用電力の過去数日間の平均使用電力を前記期間から分割された複数の区画毎に記憶し、前記予め定めた負荷の稼働に応じて前記記憶した平均使用電力に相当する電力を前記区間毎に前記組電池から供給することを特徴とする請求項１に記載の蓄電システム。
【発明の詳細な説明】
【技術分野】
【０００１】
本発明は、充放電可能に構成された組電池を有する蓄電システムに関する。
【背景技術】
【０００２】
従来、商用電力系統に接続された蓄電池を備え、時間帯別電力料金契約や深夜電力契約により電力料金の安価な特定の時間帯に、商用電力系統から蓄電池に充電を行い、昼間特に使用電力量が最大になる時間帯を中心に蓄電池を放電させて電力を賄うシステムが知られている（例えば、特許文献１参照）。
【先行技術文献】
【特許文献】
【０００３】
【特許文献１】特開２００６−１４９０３７号公報
【発明の概要】
【発明が解決しようとする課題】
【０００４】
ところで、使用電力量は気温や時間帯等による変動が大きく、放電される電力量に比べて使用電力量が大きい場合には蓄電池の残容量が不足し、使用電力量が小さい場合には、蓄電池から放電される余剰電力が商用電源系統へ逆潮流すると言った懸念があった。このため、蓄電池に充電した電力を使用電力量に合わせて効率よく放電する手法が望まれていた。
本発明は、上述した事情に鑑みてなされたものであり、商用電力を蓄電池に充電し、使用電力量の多い時間帯に蓄電池から放電する構成において、使用電力量の変動に対応して蓄電池からの放電量を適切に制御し、蓄電池の電力を効率よく利用することを目的とする。
【課題を解決するための手段】
【０００５】
上記目的を達成するために、本発明は、複数の電池モジュールを組み合わせ充放電可能に構成した組電池と、この組電池へ充電を行う充電モードとこの組電池に蓄積された直流電力を系統と負荷とをつなげる電源ラインに系統と同じもしくはほぼ同じ周波数の交流電力に変換して供給する放電モードとを有する蓄電システムにおいて、前記負荷に供給される電流を検出する電流検出器を設け、この電流検出器が検出する電流に基づく過去の数日分の平均使用電力を求め、この平均使用電力と前記電流検出器が検出する電流に基づく使用電力との差の電力量を前記放電モードで前記組電池から前記負荷へ前記交流電力に変換して供給する制御装置を備えたことを特徴とする。
【０００６】
また、本発明は、上記蓄電システムにおいて、前記制御装置は、前記放電モードを行っている期間を複数の区間に分割し夫々の区間毎に前記負荷の使用電力を求めこの区間毎に前記平均使用電力との比較を行うことを特徴とする。
【０００７】
本発明は、上記蓄電システムにおいて、前記制御装置は、前記区間の使用電力が前記平均使用電力を下回る際には前記組電池から前記負荷への電力供給を行わないことを特徴とする。
【０００８】
本発明は、上記蓄電システムにおいて、前記平均使用電力は前記複数の区間の内連続するいくつかの区間の使用電力に基づいて求められその対応するいくつかの区間の使用電力量との比較に用いられることを特徴とする。
【０００９】
本発明は、上記蓄電システムにおいて、前記平均使用電力は少なくとも前記放電モードを行っている期間の前半期間と後半期間とに２分割され夫々の期間の平均使用電力量から成り対応する期間での前記負荷へ供給される電力量の比較に用いられることを特徴とする。
【００１０】
本発明は、上記蓄電システムにおいて、予め定めた負荷の稼働期間及びこの期間で当該負荷へ供給される使用電力の過去数日間の平均使用電力を前記期間から分割された複数の区画毎に記憶し、前記予め定めた負荷の稼働に応じて前記記憶した平均使用電力に相当する電力を前記区間毎に前記組電池から供給することを特徴とする。
【発明の効果】
【００１１】
本発明によれば、商用電力により充電した電力を日ごとの使用電力量の変動に合わせて放電することにより、商用電源系統への逆潮流を防止し、充電した電力を効率よく利用できる。
【図面の簡単な説明】
【００１２】
【図１】本発明の実施形態に係る蓄電システムの構成を示す図である。
【図２】使用電力量と放電量の変化を示す図表である。
【図３】放電モードの動作を示すフローチャートである。
【発明を実施するための形態】
【００１３】
以下、図面を参照して本発明の実施形態について説明する。
図１は、本発明を適用した実施形態に係る蓄電システム１の構成を示す図である。
この図１に示す蓄電システム１は、電力会社から供給される商用電力系統１１と、太陽光発電ユニット２１とを電力源として備えており、これらの電力は分電盤１２の下流側の配線１３を介して負荷１５に供給される。また、蓄電システム１は充放電可能な電池モジュール４１を有する組電池４を備えており、商用電力系統１１の電力または太陽光発電ユニット２１が発電した電力によって組電池４を充電するとともに、組電池４が放電する電力は配線１３に供給される。
【００１４】
組電池４は、直列及び／又は並列に相互接続された複数の電池モジュール４１と、電池モジュール４１の温度や電圧を監視するコントローラ４２とを内蔵する。電池モジュール４１は、リチウムイオン二次電池やニッケル水素二次電池等の二次電池モジュールであり、本実施形態ではリチウムイオン二次電池モジュールを用いた場合について説明する。
コントローラ４２は、電池モジュール４１の温度検出、検出した温度が所定値を上回った場合の電流遮断、直列に接続された複数の電池モジュール４１の両端電圧の検出、検出した電圧値に基づくＲＳＯＣ（残容量比率）の算出、ＲＳＯＣのデータの出力等を行う。
【００１５】
また、太陽光発電ユニット２１には分配器２２が接続され、太陽光発電ユニット２１で発電された電力はＤＣ／ＡＣコンバーター２３及び／又は充電器３１に分配して出力される。ＤＣ／ＡＣコンバーター２３は、太陽光発電ユニット２１が出力した直流電流を、商用電力系統１１と同一またはほぼ同じ周波数の交流電力を得るに必要な電圧まで昇圧した後、これを交流電力に変換して、配線１３に出力する。ＤＣ／ＡＣコンバーター２３は、充電器３１に対して、昇圧後の直流電力を出力することも可能である。
【００１６】
組電池４を充電する充電器３１は、整流器３２を介して配線１３に接続されている。整流器３２は、配線１３の交流電力を整流・平滑した直流電力を充電器３１に出力し、充電器３１は、整流器３２から入力される直流電力により組電池４を充電する。
また、図中破線で示すように、充電器３１には分配器２２及びＤＣ／ＡＣコンバーター２３が接続され、分配器２２から太陽光発電ユニット２１が発電した直流電力が入力され、ＤＣ／ＡＣコンバーター２３からは昇圧された直流電力が入力される。充電器３１は、これら分配器２２及びＤＣ／ＡＣコンバーター２３から入力される電力によって組電池４を充電する。
【００１７】
また、組電池４の出力側は、ＤＣ／ＡＣコンバーター３３及びマグネットスイッチ３４を介して配線１３に接続され、組電池４はＤＣ／ＡＣコンバーター３３とともに商用電力系統１１から解列可能である。ＤＣ／ＡＣコンバーター３３は、組電池４に充電された電力を、商用電力系統１１と同一またはほぼ同じ周波数の交流電力を得るに必要な電圧まで昇圧した後、これを交流電力に変換して、配線１３に出力する。
【００１８】
蓄電システム１は、太陽光発電ユニット２１が発電する昼間の時間帯に、太陽光発電ユニット２１が発電した電力と商用電力系統１１の電力により負荷１５の使用電力を供給する。また、蓄電システム１は、商用電力系統１１の電力または太陽光発電ユニット２１と商用電力系統１１の電力に加えて、組電池４が放電した電力により負荷１５の使用電力を供給する放電モードと、組電池４へ充電する充電モードとを切り替えて実行する。充電モードには、太陽光発電ユニット２１が発電した電力により組電池４に充電する太陽光充電モードと、電力料金の時間帯別料金契約や深夜電力契約に基づき電力料金が安価になる時間帯に、商用電力系統１１によって組電池４を充電する夜間充電モードとがある。
制御装置５１は、充電器３１及びマグネットスイッチ３４を制御することにより、放電モードと充電モードとの切り替えを行う。また、制御装置５１は、内蔵するＲＴＣ（図示略）が計時する現在時刻に基づき、充電モードを開始及び終了する時間を調整して、太陽光充電モードと夜間充電モードとを切り替えて実行する。
【００１９】
分電盤１２の下流側の配線１３には、負荷１５に流れる電流を検出する電流検出器５２が設けられ、この電流検出器５２は制御装置５１に接続されている。また、制御装置５１にはＤＣ／ＡＣコンバーター３３が接続されている。制御装置５１は、上記放電モードにおいて、電流検出器５２により検出された電流に基づいて負荷１５の使用電力量を算出し、この使用電力量に基づいてＤＣ／ＡＣコンバーター３３を制御して、組電池４からの放電を調整する。
なお、電流検出器５２は、図中に示すようにＤＣ／ＡＣコンバーター２３から電流が入力される接続点と、ＤＣ／ＡＣコンバーター３３から電流が入力される接続点との間に設けた構成としたが、例えば、図中破線で示すように、ＤＣ／ＡＣコンバーター３３から電流が入力される接続点の下流側に設けてもよい。
【００２０】
蓄電システム１は、放電モードの実行中、負荷１５の使用電力量に基づいて、組電池４が放電する電力量を調整する。以下、この放電モードにおける蓄電システム１の動作について説明する。この説明では、一例として、夜間充電モードを行う夜間時間帯を２３時〜７時とし、放電モードを行う昼間時間帯を９時〜２３時とする。
蓄電システム１は、制御装置５１の制御により、負荷１５の使用電力量に応じて組電池４から放電する電力量を制御する。
【００２１】
図２は、使用電力量と放電量の変化を示す図表である。図中、縦軸は電力量、横軸は時間の経過を示し、横軸上の数字は時刻を示す。図２（Ａ）は使用電力量に対する組電池４の放電量を示し、図中の網掛け部は商用電力系統１１の出力であり、斜線部は組電池４（ＤＣ／ＡＣコンバーター３３）の出力である。網掛け部と斜線部とを合わせたものが全体の使用電力量に相当する。また、図２（Ｂ）は使用電力量から求められる制御パラメータ（最低平均使用電力量ＬＰ、７時間の平均使用電力量ＭＰ（７））と使用電力量との関係を示す。
制御装置５１は、夜間時間帯と昼間時間帯との間（７時〜９時）に充電も放電も行わない時間帯Ｔ１を設けている。この時間帯は電力料金の時間帯別料金契約や深夜電力契約で電力料金が安価になる時間帯ではないので充電を行っていない。また、平日の午前７時〜９時は電力需要が極大になるため、この時間帯の放電を行うと組電池４の残容量が早く減ってしまう。このため、本実施形態では時間帯Ｔ１（７時〜９時）は充放電を行わない。
【００２２】
制御装置５１は、昼間時間帯が開始されると、全体の使用電力量に基づいてＤＣ／ＡＣコンバーター３３が出力する電力量を決定し、ＤＣ／ＡＣコンバーター３３を制御して放電を行わせる。具体的には、制御装置５１は、全体の使用電力量が予め設定された下限値（例えば、３００Ｗ）未満の場合はＤＣ／ＡＣコンバーター３３からの出力を行わない。この下限値はＤＣ／ＡＣコンバーター３３の定格等に基づいて予め設定され、制御装置５１が記憶する。例えば、図２（Ａ）の時間帯Ｔ２は全体の使用電力量が低く、ＤＣ／ＡＣコンバーター３３が放電を行っていない。
【００２３】
制御装置５１は、予めＤＣ／ＡＣコンバーター３３の出力の上限値（定格）を記憶しており、全体の使用電力量がＤＣ／ＡＣコンバーター３３の定格出力を超える場合には、ＤＣ／ＡＣコンバーター３３を定格出力させる。例えば、図２（Ａ）の時間帯Ｔ３では６時間にわたって全体の使用電力量が高い状態が続いており、ＤＣ／ＡＣコンバーター３３が定格出力を続けている。
【００２４】
そして、全体の使用電力量が下限値以上であり、ＤＣ／ＡＣコンバーター３３の定格出力以下の場合、制御装置５１は、過去の使用電力量に基づいて、ＤＣ／ＡＣコンバーター３３の出力を制御する。
制御装置５１は、全体の使用電力量が下限値未満の場合も定格出力を超える場合も含めて、放電モード中は全体の使用電力量を３０分単位で記録する。この使用電力量の値は、例えば、制御装置５１が内蔵する不揮発性メモリ（図示略）に記憶される。
【００２５】
制御装置５１は、記録した３０分単位の使用電力量から、時間帯毎に、１時間単位の最低平均使用電力量（以下、ＬＰ）を算出する。最低平均使用電力量ＬＰは、放電モード時間帯の中のある１時間の使用電力量の最低値を、複数の日について平均した値である。例えば、午前９時〜１０時の１時間について最低平均使用電力量ＬＰを求める場合、制御装置５１は、ある日の午前９時から１０時の間における使用電力量の最低値と、その翌日の午前９時から１０時の間における使用電力量の最低値と、さらに翌日の午前９時から１０時の間における使用電力量の最低値と、を加算して平均値を求める。使用電力量は３０分単位で記録されているから、１時間の使用電力量の最低値は、午前９時〜９時３０分の使用電力量と９時３０分〜１０時の使用電力量のいずれかである。図２（Ｂ）には、最低平均使用電力量ＬＰを破線で示す。
十分な日数について３０分単位の使用電力量が記録されている場合、制御装置５１は、最近７日分の使用電力量の記録を用いて最低平均使用電力量ＬＰを算出する。
【００２６】
また、制御装置５１は、３０分単位の使用電力量から、１時間毎の平均使用電力量（以下、ＭＰ）を算出する。平均使用電力量ＭＰは、放電モード時間帯を１時間毎に区分した場合の各区間の使用電力量の平均値であり、制御装置５１は、現在時刻を含む１時間の使用電力量の平均値を算出する。例えば、午前１０時には、午前９時〜９時３０分の使用電力量と９時３０分〜１０時の使用電力量との平均値を算出し、これを平均使用電力量ＭＰとする。
【００２７】
さらにまた、制御装置５１は、放電モードの時間帯を前半と後半の２つの時間帯（区間）に等分し、各時間帯の平均使用電力量を算出する。本実施形態では９時〜２３時を前半７時間と後半７時間に分け、７時間の平均使用電力量（以下、ＭＰ（７））を算出する。７時間の平均使用電力量ＭＰ（７）は、３０分単位で記録された使用電力量を７時間分加算して３０分単位の使用電力量の平均値を求め、求めた平均値の数日分の平均値を求めたものである。図２（Ｂ）には、７時間の平均使用電力量ＭＰ（７）を一点鎖線で示す。十分な日数について３０分単位の使用電力量が記録されている場合、制御装置５１は、最近７日分の使用電力量の記録を用いて７時間の平均使用電力量ＭＰ（７）を算出する。
【００２８】
そして、制御装置５１は、現在時刻を含む時間帯の７時間の平均使用電力量ＭＰ（７）と、現在の１時間の平均使用電力量ＭＰとを比較する。７時間の平均使用電力量ＭＰ（７）は長時間にわたる平均値であるのに対し、平均使用電力量ＭＰはほぼ現在の使用電力量であるから、平均使用電力量ＭＰと７時間の平均使用電力量ＭＰ（７）との大小から、現在時刻の使用電力量がピークか否かを判別できる。
【００２９】
すなわち、平均使用電力量ＭＰが７時間の平均使用電力量ＭＰ（７）より大きい場合、その時間帯は、他の時間帯に比べて使用電力量が大きいことになる。図２（Ｂ）の例では、前半７時間のうち１２時〜１６時の４時間、及び、後半７時間のうち１６時〜２０時の４時間で、平均使用電力量ＭＰが７時間の平均使用電力量ＭＰ（７）より大きくなっているので、これらの時間帯は使用電力量のピーク時間帯に相当する。
これに対し、平均使用電力量ＭＰが７時間の平均使用電力量ＭＰ（７）より小さい場合、その時間帯は、他の時間帯に比べて使用電力量が小さいことになるので、使用電力量のピーク外である。
【００３０】
制御装置５１は、７時間の平均使用電力量ＭＰ（７）と平均使用電力量ＭＰとを比較し、使用電力量のピーク時間帯にはＤＣ／ＡＣコンバーター３３を制御して組電池４から放電させる。この場合、制御装置５１は、放電する電力量を、その時間帯の最低平均使用電力量ＬＰの０．９倍に設定する。
また、ピーク外の時間帯では、制御装置５１は、組電池４からの放電を行わない。平均使用電力量ＭＰが小さい時には、使用電力量が組電池４の放電する電力を下回ってしまい、逆潮流が懸念されるためである。
【００３１】
この一連の動作についてフローチャートを参照して説明する。
図３は、放電モードにおける制御装置５１の動作を示すフローチャートである。
制御装置５１は、放電モードの時間帯（昼間時間帯）に入ると放電モードの動作を開始し（ステップＳ１）、過去の使用電力量の学習データが無いかを判別する（ステップＳ２）。ここで、学習データが無い場合（ステップＳ２；Ｙｅｓ）、制御装置５１は、ＤＣ／ＡＣコンバーター３３の定格値を上限として、組電池４の電力の放電を開始する（ステップＳ３）。また、制御装置５１は、放電モードを開始してから３０分単位で負荷１５の使用電力量を記録し、制御装置５１の不揮発性メモリ（図示略）に記憶させる（ステップＳ４）。
【００３２】
続いて、制御装置５１は、使用電力量の記録に基づいて１時間毎の最低平均使用電力量ＬＰと、平均使用電力量ＭＰとを算出し、不揮発性メモリに記憶させる（ステップＳ５）。さらに、制御装置５１は、放電モード時間帯を前後に等分した場合の各区間（前半と後半）の平均使用電力量ＭＰ（７）を算出して記憶させる（ステップＳ６）。
そして、制御装置５１は、ステップＳ４〜Ｓ６で、当日を含めて最近７日分の使用電力量の記録に基づいて最低平均使用電力量ＬＰ、平均使用電力量ＭＰ、及び７時間の平均使用電力量ＭＰ（７）を算出できたか否かを判別し（ステップＳ７）、最近７日分の使用電力量の記録が無かった場合はステップＳ２に戻り、最近７日分の使用電力量の記録に基づいて算出をした場合は、学習データに関する設定値を「学習データあり」に変更する（ステップＳ８）。
【００３３】
その後、制御装置５１は、現在時刻が放電モード時間帯の終了時刻に達した否かを判別し（ステップＳ９）、放電モード時間帯が終了した場合は、放電モードを終了して夜間充電モードに移行する（ステップＳ１０）。また、放電モードの終了時刻に達していない場合はステップＳ２に戻る。
【００３４】
このステップＳ２〜Ｓ８で説明したように、制御装置５１は、過去の十分な期間（７日間）の使用電力量の記録がない場合にはＤＣ／ＡＣコンバーター３３を定格値を上限として放電させながら使用電力量を記録する。
【００３５】
一方、過去の使用電力量の学習データがある場合（ステップＳ２；Ｎｏ）、制御装置５１は、現在時刻を含む時間帯の７時間の平均使用電力量ＭＰ（７）と平均使用電力量ＭＰとを比較し（ステップＳ１１）、７時間の平均使用電力量ＭＰ（７）が平均使用電力量ＭＰ以下の場合（ステップＳ１２；Ｙｅｓ）には、ＤＣ／ＡＣコンバーター３３の出力値を、その時間帯の最低平均使用電力量ＬＰの０．９倍に設定して、ＤＣ／ＡＣコンバーター３３から放電させる（ステップＳ１３）。その後、制御装置５１はステップＳ４に移行する。また、７時間の平均使用電力量ＭＰ（７）が平均使用電力量ＭＰより大きい場合（ステップＳ１２；Ｎｏ）には、ＤＣ／ＡＣコンバーター３３からの出力を行わず（ステップＳ１４）、ステップＳ４に移行する。
【００３６】
以上のように、本発明を適用した実施形態に係る蓄電システム１は、複数の電池モジュール４１を組み合わせ充放電可能に構成した組電池４と、この組電池４へ充電を行う充電モードとこの組電池４に蓄積された直流電力を系統と負荷１５とをつなげる配線１３に系統と同じもしくはほぼ同じ周波数の交流電力に変換して供給する放電モードとを有する蓄電システム１において、負荷１５に供給される電流を検出する電流検出器５２を設け、この電流検出器５２が検出する電流に基づく過去の数日分の平均使用電力を求め、この平均使用電力と電流検出器５２が検出する電流に基づく使用電力との差の電力量を放電モードで組電池４から負荷１５へ交流電力に変換して供給する制御装置５１を備えるので、過去の数日分の平均使用電力に基づいて現在の使用電力量の大小を正確に判別し、例えばピーク時間帯にのみ組電池４から放電して商用電力系統１１のピークカットをする等、的確に放電を制御できる。これにより、組電池４に充電された電力を、使用電力量の変動に合わせて効率よく放電することができ、また、商用電源系統への逆潮流を防止できる。
【００３７】
また、制御装置５１は、放電モードを行っている期間を、例えば１時間毎の複数の区間に分割し夫々の区間毎に負荷１５の使用電力を求めこの区間毎に平均使用電力との比較を行うので、使用電力量の変化に追従して組電池４からの放電を制御することができ、かつ、使用電力量に係る演算処理の頻度を抑えて処理の負荷を軽減できる。
さらに、制御装置５１は、区間の使用電力が平均使用電力を下回る際には組電池４から負荷１５への電力供給を行わないので、組電池４から商用電力系統１１への逆潮流を防止できる。
さらにまた、平均使用電力は複数の区間の内連続するいくつかの区間の使用電力に基づいて求められ、その対応するいくつかの区間の使用電力量との比較に用いられるので、過去数日間の使用電力量と、現在の使用電力量とを、時間帯による変動の影響を排除して適切に比較することができ、組電池４に充電された電力を使用電力量の変動に合わせて適切に放電できる。
【００３８】
また、平均使用電力は少なくとも放電モードを行っている期間の前半期間と後半期間とに２分割され夫々の期間の平均使用電力量から成り対応する期間での負荷１５へ供給される電力量の比較に用いられるので、現在の使用電力量と時間帯による使用電力量の変動との関係が明らかになり、例えば現在の使用電力量がピークであるか否かを正確に判断できる。これにより、時間帯による使用電力量の変動に対応して適切に放電を行うことができる。
【００３９】
負荷１５は、具体的には空気調和装置等であり、予め稼働時間を設定しておくことも可能である。例えば空気調和装置の稼働期間（時間帯）を設定し、この稼働時間に従って空気調和装置が稼働するとともに、設定された稼働期間を制御装置５１が記憶している場合、制御装置５１は、予め定めた負荷１５の稼働期間及びこの期間で当該負荷１５へ供給される使用電力の過去数日間の平均使用電力を期間から分割された複数の区画毎に記憶し、予め定めた負荷１５の稼働に応じて記憶した平均使用電力に相当する電力を区間毎に組電池４から供給してもよい。この場合、負荷１５の稼働期間における使用電力量に基づいて、組電池４の放電を制御することで、より効率よく適切に放電を行える。
【００４０】
以上、実施形態に基づいて本発明を説明したが、上記実施形態は具体的な適用例を示したもので、本発明はこれに限定されるものではない。例えば、上記実施形態では、制御装置５１が３０分単位で使用電力量を記録する場合について説明したが、本発明はこれに限定されるものではなく、１分単位で使用電力量を記録してもよい。この場合、平均使用電力量ＭＰを、１分単位で検出した電流検出器５２の検出値に基づいて決定してもよく、組電池４が放電する電力量に関して、よりリアルタイム性の高い制御を行える。また、平均使用電力量ＭＰは１時間毎の平均値に限定されず、３時間毎の平均値を平均使用電力量ＭＰとしてもよく、この場合は、演算処理の頻度が減少することで処理の負荷が軽減される利点に加え、組電池４の出力の変動が小さいという利点があり、例えば、時間帯による使用電力量の変動が小さい休日には３時間毎の平均値を平均使用電力量ＭＰとし、時間帯による使用電力量の変動が大きい平日に１時間毎の平均値を平均使用電力量ＭＰとすることも効果的である。また、制御装置５１は、最近７日間の使用電力量の記録に基づいて最低平均使用電力量ＬＰや７時間の平均使用電力量ＭＰ（７）を算出するものとしたが、本発明はこれに限定されるものではなく、曜日によって使用するデータを変えてもよい。具体的には、放電モードを行う場合に過去の同じ曜日の使用電力量の記録を用いて最低平均使用電力量ＬＰや７時間の平均使用電力量ＭＰ（７）を算出し、或いは、平日には過去の平日の使用電力量の記録を用い、休日には過去の休日の使用電力量の記録を用いるものとしてもよい。さらに、制御装置５１は、７時間の平均使用電力量ＭＰ（７）に変えて、放電モードの時間帯を３又は４つに区分して各区間の平均使用電力量を求めてもよい。
また、上記実施形態では組電池４が放電する放電モードを昼間時間帯に行うものとして説明したが、例えば、負荷１５が夜間に使用される給湯装置等である場合に、昼間に太陽光発電ユニット２１の電力により組電池４を充電し、負荷１５の稼働時間に合わせて夜間に放電モードを実行してもよい。
その他、負荷１５の種類や、具体的な蓄電システム１の各部の仕様及び細部構成については任意に変更可能である。
【符号の説明】
【００４１】
１  蓄電システム
４  組電池
１１  商用電力系統
１３  配線
１５  負荷
２１  太陽光発電ユニット
３１  充電器
３２  整流器
３３  ＤＣ／ＡＣコンバーター
４１  電池モジュール
５１  制御装置
５２  電流検出器
【図１】
2011182503.tif 000003
【図２】
2011182503.tif 000004
【図３】
2011182503.tif 000005